(57)【要約】【課題】ＲＦＩＤタグに対する確実かつ効率的な書き込み処理を実現すること。【解決手段】本発明にかかる情報装置１００は、ＲＦＩＤタグ１２１に対して情報の読み取りおよび書き込みを行うＲＦＩＤ処理部３と、光学情報記録媒体１２２に対して情報の読み取りを行う光学情報読み取り部４と、ＲＦＩＤ処理部３と光学情報読み取り部４とが読み取ったＲＦＩＤタグ１２１の情報と光学情報記録媒体１２２の情報とをそれぞれ照合し、この照合の結果、ＲＦＩＤタグ１２１の情報と光学情報記録媒体１２２の情報とのうち少なくとも一部が一致する共通情報がある場合、この共通情報を有するＲＦＩＤタグ１２１の識別情報を出力する照合部９１と、ＲＦＩＤ処理部３に対して照合手段が出力した識別情報を有するＲＦＩＤタグ１２１に対して情報の書き込みを指示する書き込み制御部９２と、を備える。【選択図】      図１
2006031471.tif 000002
【特許請求の範囲】
【請求項１】
少なくとも所定の識別情報が記録された第１の情報媒体と第２の情報媒体とに対して非接触で情報の読み取りおよび／または書き込みを行う情報装置において、
当該情報装置が読み取った前記第１の情報媒体の情報と前記第２の情報媒体の情報とをそれぞれ照合し、該照合の結果、前記第１の情報媒体の情報と前記第２の情報媒体の情報とのうち少なくとも一部が一致する共通情報がある場合、前記第１の情報媒体に対して情報の書き込みを行うことを特徴とする情報装置。
【請求項２】
前記第１の情報媒体に対して情報の読み取りおよび書き込みを行う読取書込手段と、
前記第２の情報媒体に対して少なくとも情報の読み取りを行う読み取り手段と、
前記読取書込手段と前記読み取り手段とが読み取った前記第１の情報媒体の情報と前記第２の情報媒体の情報とをそれぞれ照合し、該照合の結果、前記第１の情報媒体の情報と前記第２の情報媒体の情報とのうち少なくとも一部が一致する共通情報がある場合、前記第１の情報媒体の識別情報を検出する照合手段と、
前記照合手段が検出した識別情報が記録された前記第１の情報媒体への情報の書き込みを前記読取書込手段に対して指示する制御手段と、
を備え、
前記読取書込手段は、前記制御手段が情報の書き込みを指示した前記第１の情報媒体に対して情報を書き込むことを特徴とする請求項１に記載の情報装置。
【請求項３】
少なくとも所定の識別情報が記録された第１の情報媒体と第２の情報媒体とに対して非接触で情報の読み取りおよび／または書き込みを行う情報装置において、
当該情報装置が読み取った前記第２の情報媒体の情報のうち前記第１の情報媒体を特定する情報がある場合、該第１の情報媒体に対して情報の書き込みを行うことを特徴とする情報装置。
【請求項４】
前記第２の情報媒体が有する情報は、前記第１の情報媒体に記録された識別情報を含むことを特徴とする請求項３に記載の情報装置。
【請求項５】
前記第１の情報媒体に対して情報の読み取りおよび書き込みを行う読取書込手段と、
前記第２の情報媒体に対して少なくとも情報の読み取りを行う読み取り手段と、
前記読み取り手段が読み取った前記第２の情報媒体の情報のうち前記第１の情報媒体を特定する識別情報がある場合、該識別情報が記録された前記第１の情報媒体への情報の書き込みを前記読取書込手段に対して指示する制御手段と、
を備え、
前記読取書込手段は、前記制御手段が情報の書き込みを指示した前記第１の情報媒体に対して情報を書き込むことを特徴とする請求項４に記載の情報装置。
【請求項６】
前記読取書込手段は、所定周波数の電波を介して、前記第１の情報媒体に対して情報の読み取りおよび書き込みを行い、
前記読み取り手段は、前記第２の情報媒体の情報を光学的に読み取ることを特徴とする請求項２または５に記載の情報装置。
【発明の詳細な説明】
【技術分野】
【０００１】
この発明は、少なくとも所定の識別情報が記録された第１の情報媒体と第２の情報媒体とに対して非接触で情報の読み取りおよび／または書き込みを行う情報装置に関する。
【背景技術】
【０００２】
従来から、無線通信システムの１つとして、ＲＦＩＤ（Radio Frequency Identification）システムが開発されており、入退室管理、商品管理等に利用されている。ＲＦＩＤシステムでは、識別情報等を記憶するＲＦＩＤタグを個人認証カードなどの管理対象に付し、専用の情報端末装置がＲＦＩＤタグに対して所定周波数の電波を用いて読取処理、書込処理を行なうことによって管理対象を管理している。
【０００３】
近年、ＲＦＩＤタグの情報の読み取りおよび書き込みを行う情報装置として、ＲＦＩＤタグの情報の読み書きを行う機能のほかに、符号化された各種の情報を表示した光学情報記録媒体の情報を光学的に読み取る機能をさらに備えた情報装置が開発されている。このような情報装置として、ＲＦＩＤタグおよび光学情報記録媒体のいずれが存在するのかを判断し、存在する情報媒体の種別に対応した読み取り処理を行うなど各種機能を備えた情報装置が提案されている（特許文献１参照）。
【０００４】
【特許文献１】特開２０００−３４８１３３号公報
【発明の開示】
【発明が解決しようとする課題】
【０００５】
ところで、情報装置は、所定周波数の電波の送受信をＲＦＩＤタグとの間で行うことによって、ＲＦＩＤタグに対して情報の読み取りおよび書き込みを行っている。情報装置では、まず、ＲＦＩＤタグに記憶された識別情報を読み取り、読み取った識別情報のうち、書き込み対象であるＲＦＩＤタグの識別情報を付して情報の書き込みを要求する電波を送信することによって書き込み処理を行っている。
【０００６】
しかしながら、情報装置の通信エリア内に複数のＲＦＩＤタグが存在する場合、読み取ったＲＦＩＤタグの識別情報のうち、いずれの識別情報が書き込み対象であるＲＦＩＤタグの識別情報であるかを判別することが困難であった。また、誤った識別情報を付して情報の書き込みを要求する電波を送信した場合、書き込み対象であるＲＦＩＤタグと異なるＲＦＩＤタグに対して情報を書き込んでしまい、書き込み処理を確実に行うことができなかった。特に、管理対象が重なり合って配置されている場合には、書き込み処理の確実性を確保することが困難であった。また、書き込み処理を確実に行うため、通信エリア内にＲＦＩＤタグを一枚ずつ配置して書き込み処理を行った場合、書き込み処理を効率よく行うことができなかった。
【０００７】
この発明は、上記した従来技術の欠点に鑑みてなされたものであり、ＲＦＩＤタグに対する情報の書き込みの確実化および書き込み処理効率の向上化を可能とする情報装置を提供することを目的とする。
【課題を解決するための手段】
【０００８】
上述した課題を解決し、目的を達成するために、この発明にかかる情報装置は、少なくとも所定の識別情報が記録された第１の情報媒体と第２の情報媒体とに対して非接触で情報の読み取りおよび／または書き込みを行う情報装置において、当該情報装置が読み取った前記第１の情報媒体の情報と前記第２の情報媒体の情報とをそれぞれ照合し、該照合の結果、前記第１の情報媒体の情報と前記第２の情報媒体の情報とのうち少なくとも一部が一致する共通情報がある場合、前記第１の情報媒体に対して情報の書き込みを行うことを特徴とする。
【０００９】
また、この発明にかかる情報装置は、前記第１の情報媒体に対して情報の読み取りおよび書き込みを行う読取書込手段と、前記第２の情報媒体に対して少なくとも情報の読み取りを行う読み取り手段と、前記読取書込手段と前記読み取り手段とが読み取った前記第１の情報媒体の情報と前記第２の情報媒体の情報とをそれぞれ照合し、該照合の結果、前記第１の情報媒体の情報と前記第２の情報媒体の情報とのうち少なくとも一部が一致する共通情報がある場合、前記第１の情報媒体の識別情報を検出する照合手段と、前記照合手段が検出した識別情報が記録された前記第１の情報媒体への情報の書き込みを前記読取書込手段に対して指示する制御手段と、を備え、前記読取書込手段は、前記制御手段が情報の書き込みを指示した前記第１の情報媒体に対して情報を書き込むことを特徴とする。
【００１０】
また、この発明にかかる情報装置は、少なくとも所定の識別情報が記録された第１の情報媒体と第２の情報媒体とに対して非接触で情報の読み取りおよび／または書き込みを行う情報装置において、当該情報装置が読み取った前記第２の情報媒体の情報のうち前記第１の情報媒体を特定する情報がある場合、該第１の情報媒体に対して情報の書き込みを行うことを特徴とする。
【００１１】
また、この発明にかかる情報装置は、前記第２の情報媒体が有する情報は、前記第１の情報媒体に記録された識別情報を含むことを特徴とする。
【００１２】
また、この発明にかかる情報装置は、前記第１の情報媒体に対して情報の読み取りおよび書き込みを行う読取書込手段と、前記第２の情報媒体に対して少なくとも情報の読み取りを行う読み取り手段と、前記読み取り手段が読み取った前記第２の情報媒体の情報のうち前記第１の情報媒体を特定する識別情報がある場合、該識別情報が記録された前記第１の情報媒体への情報の書き込みを前記読取書込手段に対して指示する制御手段と、を備え、前記読取書込手段は、前記制御手段が情報の書き込みを指示した前記第１の情報媒体に対して情報を書き込むことを特徴とする。
【００１３】
また、この発明にかかる情報装置は、前記読取書込手段は、所定周波数の電波を介して、前記第１の情報媒体に対して情報の読み取りおよび書き込みを行い、前記読み取り手段は、前記第２の情報媒体の情報を光学的に読み取ることを特徴とする。
【発明の効果】
【００１４】
本発明にかかる情報装置によれば、当該情報装置が読み取った第１の情報媒体の情報と第２の情報媒体の情報とをそれぞれ照合し、該照合の結果、第１の情報媒体の情報と第２の情報媒体の情報とのうち少なくとも一部が一致する共通情報がある場合、第１の情報媒体に対して情報の書き込みを行うことによって、第１の情報媒体に対する情報の書き込み処理を確実かつ効率的に行うことができる。
【発明を実施するための最良の形態】
【００１５】
以下、図面を参照して、この発明の実施の形態である情報装置について説明する。なお、この実施の形態によりこの発明が限定されるものではない。また、図面の記載において、同一部分には同一の符号を付している。
【００１６】
（実施の形態１）
まず、実施の形態１にかかる情報装置について説明する。本実施の形態１にかかる情報装置は、当該情報装置が読み取ったＲＦＩＤタグの情報と光学情報記録媒体の情報とをそれぞれ照合し、ＲＦＩＤタグの情報と光学情報記録媒体の情報とのうち少なくとも一部が一致する共通情報がある場合、この共通情報を備えたＲＦＩＤタグに対して情報の書き込みを行う。図１は、本実施の形態１にかかる情報装置の概略構成を示すブロック図である。
【００１７】
図１には、本実施の形態１にかかる情報装置１００のほか、ＲＦＩＤタグ１２１および光学情報記録媒体１２２を付した管理対象１２０も示す。ここで、ＲＦＩＤタグ１２１とは、所定周波数の応答要求電波に応じて、蓄積した識別情報等の各種情報に対応する応答電波を送信する情報媒体であり、ＲＦＩＤタグが蓄積する各種情報は、書き込みおよび読み取りを指示する所定周波数の電波を介して、読出しが可能であるとともに、書き込み、書き換えが可能である。また、光学情報記録媒体１２２とは、符号化された各種の情報を表示した情報媒体である。情報装置１００を備えた通信システムでは、管理対象１２０にそれぞれＲＦＩＤタグ１２１および光学情報記録媒体１２２が付され、情報装置１００を用いることによって、ＲＦＩＤタグ１２１および光学情報記録媒体１２２の情報を読み取り、ＲＦＩＤタグ１２１の情報の書き換えおよび情報の書き込みを行うことによって、管理対象１２０を管理する。
【００１８】
また、図１に示すように、情報装置１００は、入力部２と、ＲＦＩＤ処理部３と、光学情報読み取り部４と、出力部５と、外部通信部６と、ストレージデバイス７と、記憶部８と、制御部９とを備える。ＲＦＩＤ処理部３は、アンテナ３１を備える。制御部９は、照合部９１と、書き込み制御部９２とを備える。入力部２と、ＲＦＩＤ処理部３と、出力部５と、外部通信部６と、ストレージデバイス７と、記憶部８とは、制御部９に電気的に接続される。
【００１９】
入力部２は、情報装置１００の動作指示および情報装置１００が行なう処理の指示情報を入力し、各指示情報の入力を受け付けるとともに受け付けた指示情報の内容を制御部９に送出する。
【００２０】
ＲＦＩＤ処理部３は、制御部９の制御のもと、所定周波数の電波を介して、ＲＦＩＤタグ１２１の情報を読み取るＲＦＩＤ読み取り処理およびＲＦＩＤタグ１２１に情報を書き込む書き込み処理を行う。
【００２１】
ＲＦＩＤ読み取り処理では、ＲＦＩＤ処理部３は、ＲＦＩＤタグ１２１に対して応答を求める指示に対応した電気信号を必要に応じて増幅、変調し、アンテナ３１に送出する。ＲＦＩＤ処理部３は、アンテナ３１に対して、この電気信号に対応する応答要求電波を送信させるよう制御する。また、ＲＦＩＤ処理部３は、アンテナ３１を介してＲＦＩＤタグ１２１からの応答電波を受信する。ＲＦＩＤ処理部３は、この応答電波に対応する電気信号を必要に応じて復調し、ＲＦＩＤタグ１２１に記録された識別情報等を取得する。ＲＦＩＤ処理部３は、取得した識別情報等を制御部９に送出し、ＲＦＩＤタグ１２１の情報を読み取る読み取り処理を達成する。書き込み処理では、ＲＦＩＤ処理部３は、書き込み対象であるＲＦＩＤタグ１２１の識別情報と情報の書込みを求める指示とに応じた電気信号を必要に応じて増幅、変調し、アンテナ３１に送出する。ＲＦＩＤ処理部３は、アンテナ３１に対して、この電気信号に対応する電波を送信させて、ＲＦＩＤタグ１２１に対する書き込み処理を行なう。なお、ＲＦＩＤ処理部３は、ＲＦＩＤタグ１２１がバッテリー機能を備えていない場合には、所定周波数の電波を送信してＲＦＩＤタグ１２１に電力供給を行なう場合がある。
【００２２】
アンテナ３１は、ＲＦＩＤ処理部３の制御のもと、通信エリア内に存在するＲＦＩＤタグ１２１との間において、所定周波数の電波を送受信する。アンテナ３１は、ＲＦＩＤ処理部３から入力された電気信号に対応する所定の電波をＲＦＩＤタグ１２１に対して送信する。また、アンテナ３１は、ＲＦＩＤタグ１２１から送信された応答電波を受信し、受信した応答電波に対応する電気信号をＲＦＩＤ処理部３に送出する。
【００２３】
光学情報読み取り部４は、光学情報記録媒体１２２に対して赤外光または可視光を送信する半導体レーザ素子または発光ダイオード等の光源と、この光学情報記録媒体１２２からの反射光を受信するフォトセンサ等の受光素子とによって実現され、受信した光を処理することによって、光学情報記録媒体１２２の情報を取得する。ＣＣＤ（Charge Coupled Diode）、ＣＭＯＳ（Complementary Metal Oxide Semiconductor）等と、結像した入力光を電気信号に変換する光電変換部と、光電変換部からの入射光を結像させる光学系とによって実現され、光学情報記録媒体１２２を撮像処理し、撮像処理によって得られた画像情報を解読して、光学情報記録媒体１２２の情報を読み取ってもよい。
【００２４】
出力部５は、液晶ディスプレイ、有機エレクトロルミネッセンスディスプレイおよび発光ダイオードなどによって実現され、制御部９の制御のもと、ＲＦＩＤタグ１２１および光学情報記録媒体１２２の情報などの各種情報を表示出力する。また、出力部５は、マイクロフォンおよびスピーカーによって実現され、外部からの音声情報の入力および制御部９から入力された音声情報の外部への出力を行なう。なお、出力部５は、各構成部位による処理の開始または完了を報知する所定の報知表示および／または報知音声を出力し、または、情報装置１００において処理動作に関するエラーが発生した場合に、このエラーを報知する所定のエラー表示および／またはエラー音声を出力してもよい。また、光学情報読み取り部４が光学情報記録媒体１２２を撮像するように機能する場合、出力部５は、制御部９における制御のもと、光学情報読み取り部４によって撮像された画像情報を表示出力してもよい。
【００２５】
外部通信部６は、ＲＳ２３２Ｃ、ＵＳＢ、またはＩＥＥＥ１３９４等の外部通信用インターフェース、あるいはＩｒＤＡ規格に準拠した赤外線通信インターフェース等を用いて実現され、外部のホストコンピュータ（図示せず）等に対する情報通信を行う。
【００２６】
ストレージデバイス７は、制御部９の制御のもと、外部から挿入されたスマートメディア、メモリスティック、マルチメディアカード、またはＳＤメモリカード等の記憶媒体を駆動させて、記憶媒体に記憶される情報を読み取る。さらに、ストレージデバイス７は、制御部９の制御のもと、制御部９から入力された情報を記憶媒体に対して記録するように機能してもよい。なお、記憶媒体は、ストレージデバイス７に対して着脱可能である。
【００２７】
記憶部８は、処理プログラム等の各種データが予め記憶されたＲＯＭ（Read Only Memory）と、各処理の演算パラメータ、情報記録媒体から読み取られた各種情報、あるいは音声情報等を記憶するＲＡＭ（Random Access Memory）とを用いて実現される。
【００２８】
制御部９は、記憶部８に記憶された処理プログラムを実行するＣＰＵ（Central Processing Unit）を備える。また、入力部２、ＲＦＩＤ処理部３、光学情報読み取り部４、出力部５、外部通信部６、ストレージデバイス７および記憶部８の各処理または動作を制御する。この場合、制御部９は、これらの各構成部位に入出力される情報について所定の入出力制御を行い、この情報に対して所定の情報処理を行う。制御部９は、外部通信部６を介して、ＲＦＩＤ処理部３、光学情報読み取り部４から入力された情報を外部の管理装置に送出し、その後、この管理装置によって情報処理がなされた情報を受信してもよい。
【００２９】
照合部９１は、ＲＦＩＤ処理部３が読み取ったＲＦＩＤタグ１２１の情報と光学情報読み取り部４が読み取った光学情報記録媒体１２２の情報とをそれぞれ照合する。照合部９１は、この照合の結果、ＲＦＩＤタグ１２１の情報と光学情報記録媒体１２２の情報との少なくとも一部が一致する共通情報がある場合、この共通情報を備えたＲＦＩＤタグ１２１の識別情報を検出し、照合結果として書き込み制御部９２に出力する。本実施の形態１では、ＲＦＩＤタグ１２１の情報と光学情報記録媒体１２２の情報との少なくとも一部が一致する共通情報を備えたＲＦＩＤタグ１２１が書き込み処理の対象であるＲＦＩＤタグ１２１となる。
【００３０】
書き込み制御部９２は、照合部９１から出力された識別情報を有するＲＦＩＤタグ１２１が書き込み対象であるＲＦＩＤタグ１２１であるとして、ＲＦＩＤ処理部３に対して、この識別情報が記憶されたＲＦＩＤタグ１２１への書き込み処理を指示する。
【００３１】
つぎに、情報装置１００におけるＲＦＩＤタグ１２１に対する書き込み処理について説明する。ここで、情報装置１００は、図１に示すように、複数の管理対象１２０が重なり合った管理対象群１２０Ａのうち、所定の管理対象１２０に付されたＲＦＩＤタグ１２１に対して書き込み処理を行う場合について説明する。図２は、情報装置１００におけるＲＦＩＤタグ１２１に対する書き込み処理の処理手順を示すフローチャートである。
【００３２】
図２に示すように、制御部９は、入力部２から出力されたＲＦＩＤタグ１２１に対する書き込み処理を指示する指示情報を入力され（ステップＳ１０２）、書き込み処理を開始する。
【００３３】
まず、情報装置１００は、管理対象群１２０Ａの中から、書き込み処理の対象であるＲＦＩＤタグ１２１が付された管理対象１２０を選択し、光学情報読み取り部４において、この管理対象１２０に付された光学情報記録媒体１２２の読み取り処理を行う（ステップＳ１０４）。光学情報読み取り部４において読み取られた光学情報記録媒体１２２の情報は、制御部９に出力される。つぎに、情報装置１００は、ＲＦＩＤ処理部３において、通信エリア内に位置する全ての管理対象１２０に付されたＲＦＩＤタグ１２１の情報を一括で読み取るＲＦＩＤ一括読み取り処理を行う（ステップＳ１０６）。ＲＦＩＤ処理部３において読み取られたＲＦＩＤタグ１２１の情報は、制御部９に出力される。
【００３４】
照合部９１は、制御部９に出力されたＲＦＩＤタグ１２１の所定の情報と光学情報記録媒体１２２の所定の情報とをそれぞれ照合し、光学情報記録媒体１２２の所定の情報と一致する情報を有するＲＦＩＤタグ１２１があるか否かを判断する照合処理を行う（ステップＳ１０８）。照合部９１は、光学情報記録媒体１２２の所定の情報と一致する情報を有するＲＦＩＤタグ１２１がある場合には、このＲＦＩＤタグ１２１の識別情報を検出し、この識別情報を照合結果として書き込み制御部９２に出力する。また、照合部９１は、光学情報記録媒体１２２の所定の情報と一致する情報を有するＲＦＩＤタグ１２１がない場合には、光学情報記録媒体１２２の所定の情報と一致する情報を有するＲＦＩＤタグ１２１がないことを書き込み制御部９２に対して通知する。
【００３５】
書き込み制御部９２は、照合部９１における照合結果をもとに、光学情報記録媒体１２２の所定の情報と一致する情報を有するＲＦＩＤタグ１２１があったか否かを判断する（ステップＳ１１０）。
【００３６】
書き込み制御部９２は、光学情報記録媒体１２２の所定の情報と一致する情報を有するＲＦＩＤタグ１２１があったと判断した場合には（ステップＳ１１０：Ｙｅｓ）、ＲＦＩＤ処理部３に対して、書き込み指示を行う（ステップＳ１１２）。具体的には、書き込み制御部９２は、照合部９１から出力された照合結果における識別情報を書き込み指示とともにＲＦＩＤ処理部３に出力し、ＲＦＩＤ処理部３に対して、この識別情報を付して情報の書き込みを指示する電波を送信させる。ＲＦＩＤ処理部３は、書き込み制御部９２による書き込み指示にしたがって、この識別情報を有するＲＦＩＤタグ１２１に対して書き込み処理を行う（ステップＳ１１４）。
【００３７】
一方、書き込み制御部９２は、光学情報記録媒体１２２の所定の情報と一致する情報を有するＲＦＩＤタグ１２１がないと判断した場合には（ステップＳ１１０：Ｎｏ）、出力部５に対して、光学情報記録媒体１２２の所定の情報と一致する情報を有するＲＦＩＤタグ１２１がなく、指示された書き込み処理を行うことができなかったことを報知させるため、所定の警告表示または警告音声を出力させる。出力部５は、書き込み制御部９２の制御のもと、所定の警告表示または警告音声を出力する警告出力を行う（ステップＳ１１６）。
【００３８】
つぎに、図２に示す情報装置１００の処理手順について具体的に説明する。図３は、照合部９１が行う照合処理を説明する図であり、情報装置１００によって読み取られた光学情報記録媒体１２１の情報とＲＦＩＤタグ１２２の情報の一部を例示している。
【００３９】
たとえば、図３に示すように、照合部９１は、ＲＦＩＤ処理部３がＲＦＩＤ一括読み取り処理において読み取ったＲＦＩＤタグ１２１の情報と、光学情報読み取り部４が光学情報読み取り処理において読み取った光学情報記録媒体１２２の情報とのうち、社員番号を所定の情報として照合を行う。
【００４０】
照合部９１は、光学情報記録媒体１２２の読み取り情報のうち社員番号情報を含む光学読み取り情報１２２Ａと、ＲＦＩＤタグ１２１の読み取り情報のうち社員番号情報を含むＲＦＩＤタグ情報１２１Ａとを比較する。ＲＦＩＤ一括読み取り処理では、ＲＦＩＤ処理部３は、通信エリア内に位置する全ての管理対象１２０に付されたＲＦＩＤタグ１２１の情報を読み取っている。このため、ＲＦＩＤタグ情報１２１Ａには、複数のＲＦＩＤタグ１２１にそれぞれ対応する社員番号情報が含まれている。
【００４１】
したがって、照合部９１は、光学読み取り情報１２２Ａにおける社員番号情報を、ＲＦＩＤタグ情報１２１Ａにおける社員番号情報のそれぞれと順次比較する。図３に示すように、照合部９１は、図３に示すように、光学読み取り情報１２２Ａの社員番号情報とＲＦＩＤタグ情報１２１Ａの読み取り番号「１」，「２」，「３」，「４」の社員番号情報とを比較する。この場合、ＲＦＩＤタグ情報１２１Ａの読み取り番号「１」，「２」，「３」，「４」の社員番号情報のうち、読み取り番号「４」の社員番号情報が光学読み取り情報１２２Ａの社員番号情報と一致する。このため、照合部９１は、図２に示す照合処理において、読み取り番号「４」の識別情報「９８７６５４」を検出し、書き込み制御部９２に出力する。書き込み制御部９２は、ＲＦＩＤ処理部３に対して、読み取り番号「４」の識別情報「９８７６５４」を備えたＲＦＩＤタグ１２１への情報の書き込みを行わせる。
【００４２】
図４に示すように、情報装置１００では、照合部９１は、管理対象１２０ａに付されたＲＦＩＤタグ１２１ａに情報の書き込みを行う場合、走査光を照射し光学情報読み取り部４が読み取った光学情報記録媒体１２２ａの情報と、所定周波数の電波を介してＲＦＩＤ処理部３が読み取ったＲＦＩＤタグ１２１ａ，１２１ｂとのいずれの情報が一致するかを照合する。書き込み制御部９２は、光学情報記録媒体１２２ａの情報と一致する情報を有するＲＦＩＤタグ１２１ａを特定して、このＲＦＩＤタグ１２１ａに対する書き込み処理をＲＦＩＤ処理部３に行わせる。このため、管理対象１２０ａ，１２０ｂが重なりあっている場合であっても、情報の書き込み対象であるＲＦＩＤタグ１２１ａを特定して、情報の書き込みを指示する電波を送信することができ、ＲＦＩＤタグ１２１ａに対して確実に情報を書き込むことができる。したがって、情報装置１００は、通信エリア内に位置する他の管理対象１２０ｂに付されたＲＦＩＤタグ１２１ｂを特定した書き込み指示電波を送信せず、ＲＦＩＤタグ１２１ｂに対して情報を書き込むことはない。
【００４３】
このように、本実施の形態１にかかる情報装置１００は、ＲＦＩＤタグ１２１の情報を読み取るとともに、情報の書き込み対象であるＲＦＩＤタグ１２１が付された管理対象１２０における光学情報記録媒体１２２の情報を読み取る。その後、情報装置１００は、読み取ったＲＦＩＤタグ１２１の情報と光学情報記録媒体１２２の情報とをそれぞれ照合し、この照合の結果、光学情報記録媒体１２２の所定の情報とＲＦＩＤタグ１２１の情報とのうち少なくとも一部が一致する共通情報がある場合、この共通情報を備えたＲＦＩＤタグ１２１を特定して情報の書き込みを行う。このため、情報装置１００によれば、ＲＦＩＤタグ１２１が付された管理対象１２０が通信エリア内に複数存在していた場合であっても、情報装置１００によって情報を読み取った光学情報記録媒体１２２が付された管理対象１２０のＲＦＩＤタグ１２１に対して書込み処理を行うため、操作者は、どのＲＦＩＤタグ１２１に対して書き込み処理を行ったかを明確に判別することができる。
【００４４】
また、本実施の形態１にかかる情報装置１００によれば、光学情報記録媒体１２２の所定情報と一致する所定情報を備えたＲＦＩＤタグ１２１を特定した上で、情報を書き込むため、書き込み対象であるＲＦＩＤタグ１２１への書き込み処理を確実に行うことが可能である。
【００４５】
さらに、情報装置１００によれば、ＲＦＩＤタグ１２１をそれぞれ付した管理対象１２０が重なり合った状態であっても、情報の書き込み対象であるＲＦＩＤタグ１２１に対して確実に書き込み処理を行うことができるため、通信エリア内にＲＦＩＤタグを一枚ずつ配置した状態で書き込み処理を行う必要がなく、書き込み処理を効率よく行うことができる。
【００４６】
なお、本実施の形態１では、図２に示すように、光学情報読み取り処理（ステップＳ１０４）を行った後に、ＲＦＩＤ一括読み取り処理（ステップＳ１０６）を行う場合について説明したが、これに限らず、光学情報読み取り処理の前にＲＦＩＤ一括読み取り処理を行なってもよく、また、光学情報読み取り処理とＲＦＩＤ一括読み取り処理とを同時に行ってもよい。光学情報読み取り処理とＲＦＩＤ一括読み取り処理とは、光学情報読み取り処理において読み取った光学情報記録媒体１２２の情報とＲＦＩＤ一括読み取り処理において読み取ったＲＦＩＤタグ１２１の情報とを照合する照合処理の前に行えば足りる。
【００４７】
また、本実施の形態１では、照合部９１が照合する所定情報として社員番号情報を例として説明したが、これに限らず、所属部署情報などでもよい。また、ＲＦＩＤタグ１２１および光学情報記録媒体１２２が付された管理対象１２０の製造年月日、製造工程および製造工場などの製造情報、製品名およびバージョン情報などの製品情報、前回メンテナンスを行った年月日やメンテナンス内容などのメンテナンス情報、管理対象１２０の移動先情報およびＲＦＩＤタグ１２１の識別情報などでもよい。
【００４８】
また、本実施の形態１では、図２に照合処理として、照合部９１が、光学情報記録媒体１２２の所定情報とＲＦＩＤタグ１２１の所定情報とが全て一致するか否かを判断する場合について説明したが、これに限らず、所定情報の一部が一致するか否かを判断してもよい。照合部９１は、たとえば、社員番号情報を比較する場合には、先頭３桁の情報が一致するか否かを判断してもよい。
【００４９】
また、本実施の形態１では、管理対象群１２０Ａのうち１つの管理対象１２０に付されたＲＦＩＤタグ１２１を特定し書き込み処理を行った場合について説明したが、これに限らず、複数の管理対象１２０にそれぞれ付されたＲＦＩＤタグ１２１に対して書き込み処理を行ってもよい。
【００５０】
たとえば、２つの管理対象１２０にそれぞれ付されたＲＦＩＤタグ１２１に対して書き込み処理を行う場合には、まず、一枚書き込みモードまたは複数書き込みモードのいずれかを選択し、書き込み処理を行うＲＦＩＤタグ１２１の数量「２」を選択指示する。つぎに、図２に光学情報読み取り処理（ステップＳ１０４）において、光学情報読み取り部４は、書き込み対象であるＲＦＩＤタグ１２１が付された管理対象１２０の光学情報記録媒体１２２の情報をそれぞれ読み取る。その後、ＲＦＩＤ処理部３がＲＦＩＤ一括読み取り処理（ステップＳ１０６）を行う。照合部９１は、光学情報読み取り処理において読み取られた２つの光学情報記録媒体１２２の所定情報と、ＲＦＩＤタグ一括読み取り処理において読み取られたＲＦＩＤタグ１２１の所定情報とをそれぞれ照合する。照合部９１は、光学情報読み取り処理において読み取られた２つの光学情報記録媒体１２２の所定情報と一致する所定情報を有するＲＦＩＤタグ１２１をそれぞれ特定し、このＲＦＩＤタグ１２１の各識別情報を書き込み制御部９２に出力する。ＲＦＩＤ処理部３は、各識別情報を有するＲＦＩＤタグ１２１に対して情報の書き込みを指示する電波をそれぞれ送信し、書き込み処理を行なう。
【００５１】
また、本実施の形態１では、光学情報読み取り部４は、符号化された各種の情報を表示した光学情報記録媒体１２２を読み取る場合に説明したが、これに限らず、管理対象１２０の表面に記載された文字情報を読み取ってもよい。この場合、光学情報読み取り部４は、文字情報が記載された管理対象１２０に光を照射し、この反射光の強弱をもとに前もって記憶されたパターンとの照合により文字を特定し、記載された文字情報を読み取っている。
【００５２】
また、情報装置１００は、光学情報読み取り部４が読み取った情報をさらに処理した情報と、ＲＦＩＤ処理部３が読み取った情報とを照合してもよい。たとえば、図５の光学情報１２２Ｂに示すように、光学情報記録媒体１２２から読み取った読み取り情報が社員氏名情報である場合を例に説明する。たとえば、記憶部８に各社員氏名情報に応じた社員番号情報を対応づけた関係テーブルが記憶されていた場合、照合部９１は、この関係テーブルを参照し、光学情報記録媒体１２２から読み取った社員指名情報に対応する社員番号情報を取得する。この結果、図５に示すような光学情報１２２Ｂが生成される。その後、照合部９１は、光学情報１２２Ｂの社員番号情報とＲＦＩＤタグ情報１２１Ａの各社員番号情報とを照合し、照合処理を行う。この場合も、書き込み処理の対象であるＲＦＩＤタグ１２１に対して、確実かつ効率的に書き込み処理を行うことができる。
【００５３】
（実施の形態２）
つぎに、実施の形態２について説明する。実施の形態１にかかる情報装置は、情報装置が読み取ったＲＦＩＤタグの情報と光学情報記録媒体の情報とをそれぞれ照合し、ＲＦＩＤタグの情報と光学情報記録媒体の情報とのうち少なくとも一部が一致するＲＦＩＤタグに対して情報の書き込みを行ったが、実施の形態２にかかる情報装置は、情報装置が読み取った光学情報記録媒体のうち、ＲＦＩＤタグを特定する情報があった場合、このＲＦＩＤタグに対して情報の書き込みを行う。
【００５４】
図６は、実施の形態２にかかる情報装置の概略構成を示すブロック図である。図６には、本実施の形態２にかかる情報装置２００のほか、ＲＦＩＤタグ１２１および光学情報記録媒体２２２を付した管理対象２２０も示す。ここで、光学情報記録媒体２２２が有する情報には、同じ管理対象２２０に付されたＲＦＩＤタグ１２１の識別情報が含まれる。
【００５５】
図６に示すように、情報装置２００は、実施の形態１にかかる情報装置１００と比較し、書き込み制御部９２に代えて書き込み制御部２９２を有する制御部２９０を備える。このように、情報装置２００は、情報装置１００と比較し、照合部９１を削除した構成を有する。書き込み制御部２９２は、光学情報読み取り部４が読み取った光学情報記録媒体２２２の情報のうちＲＦＩＤタグ１２１を特定する識別情報がある場合、このＲＦＩＤタグ１２１に対する書き込み処理をＲＦＩＤ処理部３に対して指示する。光学情報記録媒体２２２が有する情報の中には、同じ管理対象２２０に付されたＲＦＩＤタグ１２１の識別情報が含まれるため、書き込み制御部２９２は、光学情報読み取り部４が読み取った光学情報記録媒体２２２の情報に含まれるＲＦＩＤタグ１２１の識別情報を参照し、この識別情報を有するＲＦＩＤタグ１２１への書き込み処理を指示する。
【００５６】
つぎに、図６に示す情報装置２００における書き込み処理について説明する。図７は、情報装置２００におけるＲＦＩＤタグ１２１に対する書き込み処理の処理手順を示すフローチャートである。
【００５７】
図７に示すように、制御部２９０は、実施の形態１と同様に、入力部２から出力されたＲＦＩＤタグ１２１に対する書き込み処理を指示する指示情報を入力され（ステップＳ２０２）、書き込み処理を開始する。
【００５８】
まず、情報装置２００は、管理対象群２２０Ａの中から、書き込み処理の対象であるＲＦＩＤタグ１２１が付された管理対象２２０を選択し、光学情報読み取り部４において、この管理対象２２０に付された光学情報記録媒体の読み取り処理を行う（ステップＳ２０４）。光学情報読み取り部４において読み取られた光学情報記録媒体２２２の情報は、制御部２９０に出力される。
【００５９】
書き込み制御部２９２は、光学情報読み取り部４が読み取った光学情報記録媒体２２２の情報のうち、ＲＦＩＤタグ１２１の識別情報を参照する。この識別情報は、この光学情報記録媒体２２２と同じ管理対象２２０に付されたＲＦＩＤタグ１２１の識別情報となる。書き込み制御部２９２は、この識別情報が記録されたＲＦＩＤタグ１２１を書き込み処理の対象として指示する（ステップＳ２０６）。書き込み制御部２９２は、この識別情報を書き込み指示とともにＲＦＩＤ処理部３に出力し、ＲＦＩＤ処理部３に対して、この識別情報を付して情報の書き込みを指示する電波を送信させる。ＲＦＩＤ処理部３は、書き込み制御部２９２による書き込み指示にしたがって、この識別情報が記録されたＲＦＩＤタグ１２１に対して書き込み処理を行う（ステップＳ２０８）。
【００６０】
このように、実施の形態２では、同じ管理対象２２０に付されたＲＦＩＤタグ１２１の識別情報を含む情報が記録された光学情報記録媒体２２２の情報を読み取ることによって、書き込み処理の対象であるＲＦＩＤタグ１２１を特定している。この結果、実施の形態２にかかる情報装置２００は、実施の形態１にかかる情報装置１００と同様の効果を奏することが可能である。
【００６１】
なお、実施の形態１，２では、ＲＦＩＤタグの情報を読み取るＲＦＩＤ処理部３を備えた情報装置１００，２００について説明したが、これに限らず、所定周波数の電波を用いて、識別情報記録媒体との間で無線通信を行なう無線通信処理部を備えた情報装置に適用してもよい。
【図面の簡単な説明】
【００６２】
【図１】実施の形態１にかかる情報装置の概略構成を示すブロック図である。
【図２】図１に示す情報装置におけるＲＦＩＤタグに対する書き込み処理の処理手順を示すフローチャートである。
【図３】図１に示す照合部における照合処理を説明する図である。
【図４】図１に示す情報装置における書き込み処理を説明する図である。
【図５】図１に示す照合部における照合処理を説明する図である。
【図６】実施の形態２にかかる情報装置の概略構成を示すブロック図である。
【図７】図６に示す情報装置におけるＲＦＩＤタグに対する書き込み処理の処理手順を示すフローチャートである。
【符号の説明】
【００６３】
１００，２００  情報装置
２  入力部
３  ＲＦＩＤ処理部
３１  アンテナ
４  光学情報読み取り部
５  出力部
６  外部通信部
７  ストレージデバイス
８  記憶部
９，２９０  制御部
９１  照合部
９２，２９２  書き込み制御部
１２０，１２０ａ，１２０ｂ，２２０  管理対象
１２１，１２１ａ，１２１ｂ  ＲＦＩＤタグ
１２１Ａ  ＲＦＩＤタグ情報
１２２，１２２ａ，２２２  光学情報記録媒体
１２２Ａ  光学読み取り情報
１２２Ｂ  光学情報
【図１】
2006031471.tif 000003
【図２】
2006031471.tif 000004
【図３】
2006031471.tif 000005
【図４】
2006031471.tif 000006
【図５】
2006031471.tif 000007
【図６】
2006031471.tif 000008
【図７】
2006031471.tif 000009